(57)【要約】【課題】シニング後の利得低下の抑制と指向特性の改善を行い、低価格な空間給電型フェーズドアレイアンテナを提供する。【解決手段】一次アンテナ素子から空間中に放射された高周波信号を複数のコレクタ素子で受信し、前記コレクタ素子ごとに接続された二次アンテナ素子に前記受信した前記高周波信号を送信し、前記二次アンテナ素子から前記送信された前記高周波信号を空間中に放射する空間給電型フェーズドアレイアンテナ装置において、前記コレクタ素子と前記コレクタ素子ごとに接続された二次アンテナ素子とがシニングされた後に、前記コレクタ素子が再配置されたことを特徴とする。【選択図】      図１
2015019130.tif 000002
【特許請求の範囲】
【請求項１】
一次アンテナ素子から空間中に放射された高周波信号を複数のコレクタ素子で受信し、前記コレクタ素子ごとに接続された二次アンテナ素子に前記受信した前記高周波信号を送信し、前記二次アンテナ素子から前記送信された前記高周波信号を空間中に放射する空間給電型フェーズドアレイアンテナ装置において、
前記コレクタ素子と前記コレクタ素子ごとに接続された二次アンテナ素子とがシニングされた後に、前記コレクタ素子が再配置された、空間給電型フェーズドアレイアンテナ装置。
【請求項２】
前記コレクタ素子と前記コレクタ素子ごとに接続された二次アンテナ素子とはフレキシブルに接続された、請求項１記載の空間給電型フェーズドアレイアンテナ装置。
【請求項３】
前記再配置は、前記コレクタ素子の前記高周波信号の受信の効率を向上させる、請求項１または２記載の空間給電型フェーズドアレイアンテナ装置。
【請求項４】
前記再配置は、前記コレクタを等間隔に配置する、請求項１から３の内の１項記載の空間給電型フェーズドアレイアンテナ装置。
【請求項５】
一次アンテナ素子から空間中に放射された高周波信号を複数のコレクタ素子で受信し、前記コレクタ素子ごとに接続された二次アンテナ素子に前記受信した前記高周波信号を送信し、前記二次アンテナ素子から前記送信された前記高周波信号を空間中に放射する空間給電型フェーズドアレイアンテナ装置において、
前記コレクタ素子のアレイ配置と前記二次アンテナ素子のアレイ配置とが異なる、空間給電型フェーズドアレイアンテナ装置。
【請求項６】
前記コレクタ素子のアレイ配置を前記二次アンテナ素子のアレイ配置と異なるとした場合の前記コレクタ素子の前記高周波信号の受信の効率は、前記コレクタ素子のアレイ配置を前記二次アンテナ素子のアレイ配置と同じとした場合の効率に比べて高い、請求項５記載の空間給電型フェーズドアレイアンテナ装置。
【請求項７】
前記コレクタ素子のアレイ配置を前記二次アンテナ素子のアレイ配置と異なるとした場合の前記コレクタ素子の配置は等間隔である、請求項５または６記載の空間給電型フェーズドアレイアンテナ装置。
【請求項８】
一次アンテナ素子から空間中に放射された高周波信号を複数のコレクタ素子で受信し、前記コレクタ素子ごとに接続された二次アンテナ素子に前記受信した前記高周波信号を送信し、前記二次アンテナ素子から前記送信された前記高周波信号を空間中に放射する空間給電型フェーズドアレイアンテナ装置のシニング方法において、
前記コレクタ素子と前記コレクタ素子ごとに接続された二次アンテナ素子とをシニングした後に、前記コレクタ素子を再配置する、空間給電型フェーズドアレイアンテナ装置のシニング方法。
【請求項９】
前記再配置は、前記コレクタ素子の前記高周波信号の受信の効率を向上させる、請求項８記載の空間給電型フェーズドアレイアンテナ装置のシニング方法。
【請求項１０】
前記再配置は、前記コレクタを等間隔に配置する、請求項８または９記載の空間給電型フェーズドアレイアンテナ装置のシニング方法。
【発明の詳細な説明】
【技術分野】
【０００１】
本発明は、空間給電型フェーズドアレイアンテナ装置に関し、特に、そのアンテナ素子のシニング方法に関する。
【背景技術】
【０００２】
レーダ用アレイアンテナでは、アンテナモジュールが実装されたアンテナ素子を平面上にアレイ状に並べたフェーズドアレイアンテナが多く用いられている。このフェーズドアレイアンテナではサイドローブを低減するため、あるいはアンテナの低価格化のために、アンテナ素子を間引く方法（以下、シニングという）が広く用いられている。また、アンテナ素子へ高周波信号を給電する場合、多数のアンテナ素子を具備するアレイアンテナでは、ケーブルなどの配線が複雑となってしまう。そこで、一次アンテナ素子から空間中に放射した高周波信号をコレクタ素子で受信して二次アンテナ素子に給電し、二次アンテナ素子から高周波信号を空間中に放射する、空間給電方式が用いられる場合がある。
【０００３】
空間給電方式のアレイアンテナについては、シニングすることにより構成が簡易で低コストな空間給電型アンテナ装置が可能となることが、特許文献１に開示されている。
【先行技術文献】
【特許文献】
【０００４】
【特許文献１】特開２００５−２０４０８号公報
【発明の概要】
【発明が解決しようとする課題】
【０００５】
しかしながら、特許文献１に開示されている既知の空間給電方式のアレイアンテナでシニングを実施すると、以下の問題を生じていた。第一の問題は、シニングによりコレクタ素子と二次アンテナ素子の両方で利得の低下が発生するため、その他の給電方式と比べても、利得の低下、すなわち損失の増大が顕著となるという問題である。すなわち、空間給電方式では、一次アンテナ素子から空間中に放射された高周波信号を受信するために、二次アンテナ素子と同数のコレクタ素子を具備している。シニング時にはこれらのコレクタ素子と二次アンテナ素子との両方を間引くこととなるために、利得の低下が顕著となる。
【０００６】
また、第二の問題は、アレイアンテナの開口面からアンテナ素子を物理的にシニングするので、アンテナ素子配列の周期性が崩れる。そのため、アンテナ素子間の相互結合の影響により、コレクタ素子に入射する高周波信号の分布が歪むなどの変動を生じ、各コレクタ素子が受信する高周波信号のレベルが変動するという問題である。その結果、二次アンテナ素子に給電する電力がコレクタ素子ごとに変動してしまい、二次アンテナ素子が所望の電力分布を形成することができなくなる。結果として、二次アンテナ素子から空間中に放射される高周波信号の指向特性が、サイドローブの増大などにより劣化していた。
【０００７】
本発明は、上記の課題に鑑みてなされたものであり、その目的は、シニング後の利得低下の抑制と指向特性の改善を行い、低価格な空間給電型フェーズドアレイアンテナを提供することである。
【課題を解決するための手段】
【０００８】
本発明の空間給電型フェーズドアレイアンテナ装置は、一次アンテナ素子から空間中に放射された高周波信号を複数のコレクタ素子で受信し、前記コレクタ素子ごとに接続された二次アンテナ素子に前記受信した前記高周波信号を送信し、前記二次アンテナ素子から前記送信された前記高周波信号を空間中に放射する空間給電型フェーズドアレイアンテナ装置において、前記コレクタ素子と前記コレクタ素子ごとに接続された二次アンテナ素子とがシニングされた後に、前記コレクタ素子が再配置されたことを特徴とする。
【０００９】
本発明の空間給電型フェーズドアレイアンテナ装置は、一次アンテナ素子から空間中に放射された高周波信号を複数のコレクタ素子で受信し、前記コレクタ素子ごとに接続された二次アンテナ素子に前記受信した前記高周波信号を送信し、前記二次アンテナ素子から前記送信された前記高周波信号を空間中に放射する空間給電型フェーズドアレイアンテナ装置において、前記コレクタ素子のアレイ配置と前記二次アンテナ素子のアレイ配置とが異なることを特徴とする。
【００１０】
本発明の空間給電型フェーズドアレイアンテナ装置のシニング方法は、一次アンテナ素子から空間中に放射された高周波信号を複数のコレクタ素子で受信し、前記コレクタ素子ごとに接続された二次アンテナ素子に前記受信した前記高周波信号を送信し、前記二次アンテナ素子から前記送信された前記高周波信号を空間中に放射する空間給電型フェーズドアレイアンテナ装置のシニング方法において、前記コレクタ素子と前記コレクタ素子ごとに接続された二次アンテナ素子とをシニングした後に、前記コレクタ素子を再配置することを特徴とする。
【発明の効果】
【００１１】
本発明による空間給電型フェーズドアレイアンテナ装置およびそのシニング方法によれば、シニング後の利得低下の抑制と指向特性の改善を行い、低価格な空間給電型フェーズドアレイアンテナを提供することが可能となる。
【００１２】
すなわち、シニングにより二次アンテナ素子、コレクタ素子、及びアンテナモジュールをアンテナアレイの開口面から間引くことにより、高価なアンテナモジュールの数を減らせることから装置の低価格化が可能である。さらに、コレクタ素子を再配置することで、シニングによる利得低下を抑制することが可能となる。また、コレクタ素子を再配置することによって均一な高周波信号を二次アンテナ素子に給電できるため、送信信号の指向特性の改善ができる。
【図面の簡単な説明】
【００１３】
【図１】本発明の実施形態の空間給電型フェーズドアレイアンテナ装置の構成を示す図である。
【図２】本発明の実施形態の空間給電型フェーズドアレイアンテナ装置のパッシブ方式のアンテナモジュールの構成を示すブロック図である。
【図３】既知の空間給電型フェーズドアレイアンテナ装置の構成を示す図である。
【図４】既知の空間給電型フェーズドアレイアンテナ装置のシニング後のコレクタ素子に入射する高周波信号のパターンを示す図である。
【図５】既知の空間給電型フェーズドアレイアンテナ装置の二次アンテナ素子に供給される電力の分布例を示す図である。
【図６】本発明の実施形態の空間給電型フェーズドアレイアンテナ装置のシニング後のコレクタ素子に入射する高周波信号のパターンを示す図である。
【図７】本発明の実施形態の空間給電型フェーズドアレイアンテナ装置の二次アンテナ素子に供給される電力の分布例を示す図である。
【図８】空間給電型フェーズドアレイアンテナ装置の指向特性をシミュレーションした結果を示す図である。
【図９】空間給電型フェーズドアレイアンテナの利得定義点を説明する図である。
【図１０】本発明の実施形態の空間給電型フェーズドアレイアンテナ装置のアクティブ方式のアンテナモジュールの構成を示すブロック図である。
【発明を実施するための形態】
【００１４】
以下、図を参照しながら、本発明の実施形態を詳細に説明する。但し、以下に述べる実施形態には、本発明を実施するために技術的に好ましい限定がされているが、発明の範囲を以下に限定するものではない。
（構成の説明）
図１は、本発明の実施形態の空間給電型フェーズドアレイアンテナ装置の構成を示す図である。図１では、シニング後にコレクタ素子５−１〜５−Ｎの再配置を行った空間給電型フェーズドアレイアンテナ装置の構成を示す。図１では、コレクタ素子とアンテナモジュールと二次アンテナ素子とからなる二次アンテナユニットにおいて、縦横に配列した二次アンテナアレイの内の一列を抜き出した二次アンテナユニットの列を示している。
【００１５】
まず、送信時には、励振部１により必要十分に増幅された高周波信号を、サーキュレータ３を介して１次アンテナ素子４に供給する。供給された高周波信号は、一次アンテナ素子４を通じて、一次アンテナ素子４のアンテナパターン８として空間中に放射される。
【００１６】
アンテナパターン８として放射された高周波信号は、コレクタ素子５−１〜５−Ｎにより受信される。受信された高周波信号は、アンテナモジュール６−１〜６−Ｎで位相を制御される。このとき、二次アンテナ素子７−１〜７−Ｎから放射される高周波信号が、空間中で合成されて所望の送信信号のパターンとなるように、位相の制御が行われる。
【００１７】
アンテナモジュール６−１〜６−Ｎで位相を制御された高周波信号は、二次アンテナ素子７−１〜７−Ｎに送られ、二次アンテナ素子７−１〜７−Ｎから空間中に放射される。空間中に放出された高周波信号は、空間中で合成され、所望の送信信号のパターンとなる。
【００１８】
一方、二次アンテナ素子７−１〜７−Ｎに空間中から到来する到来信号は、二次アンテナ素子７−１〜７−Ｎにより受信され、アンテナモジュール６−１〜６−Ｎにより移相された後、コレクタ素子５−１〜５−Ｎから一次アンテナ素子４へ送られ、サーキュレータ３を介して受信部２で低雑音増幅され、受信信号となる。
【００１９】
図２は、本実施形態の空間給電型フェーズドアレイアンテナ装置のパッシブ方式のアンテナモジュール６の構成を示すブロック図である。図２において、送信時には、一次アンテナ素子４より供給された高周波信号は、コレクタ素子５で受信され、受信された高周波信号は移相器６ａにより所望の移相をされた後、二次アンテナ素子７から放射される。また、受信時には、空間中から到来した到来信号は、二次アンテナ素子７により受信され、受信された高周波信号は移相器６ａにより移相された後、コレクタ素子５から一次アンテナ素子４に送られる。
【００２０】
このとき、二次アンテナ素子の素子間隔９（図１）は、アンテナモジュール６の移相器６ａによりビーム走査を実施するために、所望のビーム走査範囲においての不要放射であるグレーティングローブが発生しない素子間隔とする必要があるため、シニング後の再配置による変更ができない。
【００２１】
一方、コレクタ素子５は、一次アンテナ素子４との空間給電を行うための素子であるため、二次アンテナ素子７のようなビーム走査によるグレーティングローブを考慮する必要がなく、図１に示すコレクタ素子の素子間隔１０は、１波長内であれば自由度の高い再配置による変更が可能である。そこで、本実施形態では、コレクタ素子５と二次アンテナ素子７とが独立に移動できるよう、アンテナモジュール６を介した両者の接続をフレキシブルな接続とする。
【００２２】
シニング後のコレクタ素子５の好適な再配置としては、例えば、コレクタ素子５同士を略等間隔とすることができる。また、必ずしも等間隔とする必要はなく、一次アンテナ素子４からの高周波信号を効率よく受信できるように任意に再配置することができる。なお、コレクタ素子の再配置は、手動でも自動でも可能である。
【００２３】
本実施形態では、シニング後に、コレクタ素子５の素子間隔を一次アンテナ素子４からの高周波信号を効率よく受信できるように再配置することで、シニングによる利得低下を最小限に抑えることができる。また、コレクタ素子を再配置することによって均一な高周波信号を二次アンテナ素子に給電できるため、送信信号のパターンの指向特性の改善ができる。そして、シニングによる構成素子数の低減により、低価格な空間給電型フェーズドアレイアンテナを可能とする。
（動作の説明）
次に本実施形態の動作について説明する。
【００２４】
図３は、既知の空間給電型フェーズドアレイアンテナ装置の構成を示す図である。図３の空間給電型フェーズドアレイアンテナにおいてシニングを実施する場合、図３に破線で示すコレクタ素子２５１、アンテナモジュール２６１、二次アンテナ素子２７１のようにシニングされる。すなわち、シニングされたコレクタ素子２５１、アンテナモジュール２６１、二次アンテナ素子２７１以外の素子は、シニングの前後でアレイ上の位置は変わらない。よって、コレクタ素子の素子間隔２１０と二次アンテナ素子の素子間隔２９とは変わらない。
【００２５】
このとき、コレクタ素子２５のアレイと二次アンテナ素子２７のアレイでは、シニングにより、素子配列の周期性が崩れたことで、周辺の素子との相互結合の影響により、コレクタ素子２５に入射する高周波信号のパターンや、二次アンテナ素子２７から放出される高周波信号のパターンが大きな影響を受ける。
【００２６】
図４は、既知の空間給電型フェーズドアレイアンテナ装置でシニングを行った後の、アレイ上の位置の異なるコレクタ素子に入射する高周波信号のパターンをシミュレーションした結果を示す。図４に示すように、シニングにより、アレイ上の位置の異なるコレクタ素子に入射する高周波信号のパターン１２ａ、１２ｂには、歪みや位置による変動が生じる。これにより、コレクタの位置によっては、高周波信号を効率良く受信できない場合が生じる。その結果、二次アンテナ素子７に給電される電力にアレイ上の位置による変動が生じ、二次アンテナから放出される高周波信号の分布に歪みが生じる。
【００２７】
図５は、既知の空間給電型フェーズドアレイアンテナ装置でシニングを行った後の、コレクタ素子２５が、一次アンテナ素子２４からの空間給電により受信し二次アンテナに供給する高周波信号の電力分布の概念図を示す。シニングにより、各コレクタ素子２５の受け取る高周波信号のパターン２１２は歪む。そのため、図５のように、コレクタ２５の位置により、コレクタ２５で受け取って二次アンテナに供給する電力２５０は変動を生じ、理想的な電力分布７０からのずれが増大する。その結果、二次アンテナ素子から空間中に放射される送信信号は、利得低下や指向特性の劣化を生じることとなる。
【００２８】
それに対して、本実施形態では、上記のような利得低下や指向特性の劣化を抑制するために、シニング後のコレクタ素子を、例えば、等間隔に再配置する。図１では、シニング後のコレクタ素子が等間隔になるように、コレクタ素子５−１〜５−Ｎを再配置した後の構成を示す。
【００２９】
図６は、本実施形態の空間給電型フェーズドアレイアンテナ装置の、シニング後にコレクタ素子の再配置を行った後の、アレイ上の位置の異なるコレクタ素子に入射する高周波信号のパターンを示す図である。コレクタ素子を等間隔に再配置した場合、例えばコレクタ素子の素子間隔を０．７λとすると、図６に示す高周波信号のパターンが得られる。ここで、高周波信号のパターン１１ａ及び１１ｂは、位置の異なるコレクタ素子に入射する高周波信号のパターンのシミュレーション結果である。
【００３０】
再配置したコレクタ素子は、素子外周部分を除いては周期的に素子が配置されている。そのため、アレイ上の配置の違いによる歪みや変動のない高周波信号のパターン１１ａ及び１１ｂが得られ、シニングによる歪みや変動は大きく改善される。
【００３１】
図７は、本実施形態の空間給電型フェーズドアレイアンテナ装置の、シニング後に再配置を行った後の、コレクタ素子５が、一次アンテナ素子４からの空間給電により受信し二次アンテナに供給する高周波信号の電力分布の概念図を示す。コレクタ素子５を等間隔に再配置したことで、二次アンテナ素子に供給される電力５０の分布を理想的な電力分布７０に近づけることが可能となる。
【００３２】
図８は、上記のようなコレクタ素子に入射する高周波信号のパターンを考慮した、空間給電型フェーズドアレイアンテナ装置の二次アンテナから空間中に放射される送信信号の指向特性をシミュレーションした結果を示す。図８では、本実施形態の指向特性１３ａ（実線）と、既存の指向特性１３ｂ（破線）とを示す。本実施形態により、指向特性を改善できることがわかる。
【００３３】
また、コレクタ素子の再配置のもう一つの利点は、一次アンテナ素子４の指向特性にもよるが、１波長以内であればコレクタ素子５を自由に再配置できるため、例えばコレクタ素子５の素子間隔を図６で示した０．７λより広げることでコレクタ素子５の利得を上げることが可能となることである。空間給電型フェーズドアレイアンテナの利得定義点を図９に示すように一次アンテナ素子４の位置とした場合、コレクタ素子５の再配置によりコレクタ素子５のアレイ素子利得ＧＣが上がることで、フェーズドアレイアンテナの利得Ｇを改善できる。
【００３４】
以上により、本実施形態の空間給電型フェーズドアレイアンテナ装置によれば、シニング後の利得低下の低減と指向特性の改善を行い、低価格な空間給電型フェーズドアレイアンテナを提供することが可能となる。
【００３５】
なお、上記の空間給電型フェーズドアレイアンテナ装置のアンテナモジュール６では、移相制御機能を有するパッシブ方式としたが、アクティブ方式でも良い。図１０は、本発明の実施形態の空間給電型フェーズドアレイアンテナ装置のアクティブ方式のアンテナモジュールの構成を示すブロック図である。
【００３６】
図１０において、コレクタ素子５で受信した高周波信号は移相器６ａにおいて移相されたのち、スイッチモジュール６ｂにより送信増幅器６ｃに与えられて増幅され、サーキュレータ６ｄを介して二次アンテナ素子７へ給電され送信される。また、二次アンテナ素子７に到来する到来信号は、サーキュレータ６ｄを介して受信増幅器６ｅにより低雑音増幅され、スイッチモジュール６ｂにより移相器６ａに与えられて移相され、コレクタ素子５を介して一次アンテナ素子４に送られる。
【００３７】
図１０のアクティブ方式のアンテナモジュールを用いた空間給電型フェーズドアレイアンテナ装置によっても、シニング後の利得低下の抑制と指向特性の改善を行い、低価格な空間給電型フェーズドアレイアンテナを提供することが可能である。
【００３８】
本発明は上記実施形態に限定されることなく、特許請求の範囲に記載した発明の範囲内で、種々の変形が可能であり、それらも本発明の範囲内に含まれるものであることはいうまでもない。
【００３９】
また、上記の実施形態の一部又は全部は、以下の付記のようにも記載され得るが、以下には限られない。
【００４０】
付記
（付記１）
一次アンテナ素子から空間中に放射された高周波信号を複数のコレクタ素子で受信し、前記コレクタ素子ごとに接続された二次アンテナ素子に前記受信した前記高周波信号を送信し、前記二次アンテナ素子から前記送信された前記高周波信号を空間中に放射する空間給電型フェーズドアレイアンテナ装置において、
前記コレクタ素子と前記コレクタ素子ごとに接続された二次アンテナ素子とがシニングされた後に、前記コレクタ素子が再配置された、空間給電型フェーズドアレイアンテナ装置。
（付記２）
前記コレクタ素子と前記コレクタ素子ごとに接続された二次アンテナ素子とはフレキシブルに接続された、付記１記載の空間給電型フェーズドアレイアンテナ装置。
（付記３）
前記再配置は、前記コレクタ素子の前記高周波信号の受信の効率を向上させる、付記１または２記載の空間給電型フェーズドアレイアンテナ装置。
（付記４）
前記再配置は、前記コレクタを等間隔に配置する、付記１から３の内の１項記載の空間給電型フェーズドアレイアンテナ装置。
（付記５）
一次アンテナ素子から空間中に放射された高周波信号を複数のコレクタ素子で受信し、前記コレクタ素子ごとに接続された二次アンテナ素子に前記受信した前記高周波信号を送信し、前記二次アンテナ素子から前記送信された前記高周波信号を空間中に放射する空間給電型フェーズドアレイアンテナ装置において、
前記コレクタ素子のアレイ配置と前記二次アンテナ素子のアレイ配置とが異なる、空間給電型フェーズドアレイアンテナ装置。
（付記６）
前記コレクタ素子のアレイ配置を前記二次アンテナ素子のアレイ配置と異なるとした場合の前記コレクタ素子の前記高周波信号の受信の効率は、前記コレクタ素子のアレイ配置を前記二次アンテナ素子のアレイ配置と同じとした場合の効率に比べて高い、付記５記載の空間給電型フェーズドアレイアンテナ装置。
（付記７）
前記コレクタ素子のアレイ配置を前記二次アンテナ素子のアレイ配置と異なるとした場合の前記コレクタ素子の配置は等間隔である、付記５または６記載の空間給電型フェーズドアレイアンテナ装置。
（付記８）
一次アンテナ素子から空間中に放射された高周波信号を複数のコレクタ素子で受信し、前記コレクタ素子ごとに接続された二次アンテナ素子に前記受信した前記高周波信号を送信し、前記二次アンテナ素子から前記送信された前記高周波信号を空間中に放射する空間給電型フェーズドアレイアンテナ装置のシニング方法において、
前記コレクタ素子と前記コレクタ素子ごとに接続された二次アンテナ素子とをシニングした後に、前記コレクタ素子を再配置する、空間給電型フェーズドアレイアンテナ装置のシニング方法。
（付記９）
前記コレクタ素子と前記コレクタ素子ごとに接続された二次アンテナ素子とはフレキシブルに接続された、付記８記載の空間給電型フェーズドアレイアンテナ装置のシニング方法。
（付記１０）
前記再配置は、前記コレクタ素子の前記高周波信号の受信の効率を向上させる、付記８または９記載の空間給電型フェーズドアレイアンテナ装置のシニング方法。
（付記１１）
前記再配置は、前記コレクタを等間隔に配置する、付記８から１０の内の１項記載の空間給電型フェーズドアレイアンテナ装置のシニング方法。
【符号の説明】
【００４１】
１、２１    励振部
２、２２    受信部
３、２３    サーキュレータ
４、２４    一次アンテナ素子
５、２５、２５１    コレクタ素子
５０、２５０    電力
６、２６、２６１    アンテナモジュール
６ａ    移相器
６ｂ    スイッチモジュール
６ｃ    送信増幅器
６ｄ    サーキュレータ
６ｅ    受信増幅器
７、２７、２７１    二次アンテナ素子
７０    理想的な電力分布７０
８    アンテナパターン
９、２９    二次アンテナ素子の素子間隔
１０、２１０    コレクタ素子の素子間隔
【図１】
2015019130.tif 000003
【図２】
2015019130.tif 000004
【図３】
2015019130.tif 000005
【図４】
2015019130.tif 000006
【図５】
2015019130.tif 000007
【図６】
2015019130.tif 000008
【図７】
2015019130.tif 000009
【図８】
2015019130.tif 000010
【図９】
2015019130.tif 000011
【図１０】
2015019130.tif 000012